(57)【要約】  【課題】商品シュート上で商品を横倒し転動にて搬出すると商品の搬出速度が加速するため搬出時に商品に加わる衝撃力が大きくなり、傷つき、搬出音の増大、強炭酸飲料等の泡吹きがしやすい。  【解決手段】商品シュート１０６は内方から外方に向かって傾斜する傾斜面１０６ｂ、１０６ｃを形成し、商品収納室１０２下端と商品シュート１０６の間に落下した商品１０５の姿勢を変える制御部材１０９を設けることにより、商品シュート１０６上に落下した商品１０５を長手方向が商品取出口１０４の方向に向けて回転維持しそのまま商品取出口１０４に送出されるので転動時と比べ緩やかな速度で商品１０５を商品取出口１０４へ送出できる。また、商品取出口１０４内部を形成する構造部材１１１やガイダー１１２などによって商品は直立状態で取出口内に送出されるため、購入者は商品の上部を掴んで容易に商品取出口から取り出すことができる。【選択図】図２
2007293755.tif 000002
【特許請求の範囲】
【請求項１】
商品収納室から落下した商品を商品取出口へ案内する商品シュートを前記商品収納室の下方に傾斜して備えるとともに、前記商品収納室内に収納された前記商品が横倒し姿勢で前記商品シュートに落下送出される自動販売機において、前記商品シュートは外方から内方に向かって傾斜する傾斜面を形成し、かつ落下した商品の姿勢を特定の長手方向に揃える制御部材を設けて、前記傾斜面と前記制御部材によって商品が特定の長手方向の姿勢で前記商品取出口の方向に向けて滑走し、さらに前記商品取出口内において送出された商品が直立するようにした自動販売機。
【請求項２】
前記商品取出口に対して商品の開口部側が上となるように姿勢を揃えた請求項１に記載の自動販売機。
【発明の詳細な説明】
【技術分野】
【０００１】
本発明は、商品払出装置を備えた商品収納質から搬出された商品を商品シュートを介して商品取出口に送出する自動販売機に関するものである。
【背景技術】
【０００２】
従来、この種の自動販売機は、商品の送出時の姿勢を商品シュート上で転動可能な状態に制御しているものがある（例えば、特許文献１参照）。
【０００３】
図５，図６は、特許文献１に記載された従来の自動販売機を示すものである。図５，図６に示すように商品収納室１下端と商品シュート２との間に形成される商品落下通路３内に左右外方から相対向して内側にそれぞれ低く傾斜する傾斜面４を両側に形成した弾性を有する制御部材５を設けている。
【０００４】
以上のように構成された自動販売機について、以下その動作を説明する。
【０００５】
まず、商品収納室１から落下送出される商品は、落下中にその長手方向の後端部が制御部材５の傾斜面４に接触することにより商品が商品取出口６方向に対して転動可能な方向に回転して商品シュート２上に落下する。
【０００６】
そして、商品は商品シュート２上を転動しながら取出口６まで送出される。
【特許文献１】実開昭６０−００５５７５号公報
【発明の開示】
【発明が解決しようとする課題】
【０００７】
しかしながら、上記従来の構成では、商品を商品シュート上に転動可能な方向に制御しており、商品収納室から落下送出される商品は、商品シュート上で転動することにより送出速度が加速し、商品取出口で商品に大きな衝撃力が加わり、搬出音が大きい、商品の傷つき、強炭酸飲料の泡吹き等という課題を有していた。
【０００８】
また、商品取出口内に送出された商品の取出し性が必ずしもよいものではなく、飲料商品等においては、飲み口が商品取出口の底部に接触しないようにする衛生面での配慮も改善すべき課題として残されていた。
【０００９】
本発明は、上記従来の課題を解決するもので、商品搬出時の商品に加わる衝撃力を抑えることにより搬出音の低減、商品の傷つき抑制、強炭酸の泡吹き等を抑制でき、さらには商品が取り出しやすく衛生面でも配慮された自動販売機を提供することを目的とする。
【課題を解決するための手段】
【００１０】
上記従来の課題を解決するために、本発明の自動販売機は、商品収納室から落下した商品を商品取出口へ案内する商品シュートを前記商品収納室の下方に傾斜して備えるとともに、前記商品収納室内に収納された前記商品が横倒し姿勢で前記商品シュートに落下送出される自動販売機において、前記商品シュートは外方から内方に向かって傾斜する傾斜面を形成し、かつ落下した商品の姿勢を特定の長手方向に揃える制御部材を設けて、前記傾斜面と前記制御部材によって商品が特定の長手方向の姿勢で前記商品取出口の方向に向けて滑走し、さらに前記商品取出口内において送出された商品が直立するようにしたことにより、商品は長手方向の姿勢で商品シュート上を滑走する際に、商品シュートとの摩擦抵抗により安定かつ緩やかな速度で商品を商品取出口に送出され、商品落下送出時の商品への衝撃力を抑えることができる。この結果、搬出音の低減、商品の傷つき抑制、強炭酸の泡吹き等を抑制する目的が達成できる。
【００１１】
また、滑走する商品は制御部材により特定の長手方向に揃えられ、さらに商品取出口内において直立するので、購入者は従来のように横倒しになった商品を商品取出口の底から取り出すような不便さが解消され、商品の上部を掴んで容易に商品取出口から取り出すことができる。
【発明の効果】
【００１２】
本発明の自動販売機は、商品と商品シュートとの摩擦抵抗により安定かつ（転動時と比べ）緩やかな速度で商品を商品取出口へ送出でき、商品落下送出時の商品への衝撃力を抑えることができ、搬出音の低減、商品の傷つき抑制、強炭酸の泡吹き等を抑制できる。
【００１３】
また、滑走した商品は商品取出口内において直立するので、購入者は商品の上部を掴んで容易に商品取出口から取り出すことができ取り出し性に優れる。
【発明を実施するための最良の形態】
【００１４】
請求項１に記載の発明は、商品収納室から落下した商品を商品取出口へ案内する商品シュートを前記商品収納室の下方に傾斜して備えるとともに、前記商品収納室内に収納された前記商品が横倒し姿勢で前記商品シュートに落下送出される自動販売機において、前記商品シュートは外方から内方に向かって傾斜する傾斜面を形成し、かつ落下した商品の姿勢を特定の長手方向に揃える制御部材を設けて、前記傾斜面と前記制御部材によって商品が特定の長手方向の姿勢で前記商品取出口の方向に向けて滑走し、さらに前記商品取出口内において送出された商品が直立するようにしたことにより、商品は長手方向の姿勢で商品シュート上を滑走する際に、商品シュートとの摩擦抵抗により安定かつ緩やかな速度で商品を商品取出口に送出され、商品落下送出時の商品への衝撃力を抑えることが出来る。
【００１５】
また、滑走する商品は制御部材により特定の長手方向に揃えられ、さらに商品取出口内において直立するので、購入者は従来のように横倒しになった商品を商品取出口の底から取り出すような不便さが解消され、商品の上部を掴んで容易に商品取出口から取り出すことができる。
【００１６】
請求項２に記載の発明は、請求項１に記載の発明の自動販売機において前記商品取出口に対して商品の開口部側が上となるように姿勢を揃えたことにより、飲料商品など飲み口が商品取出口の底部に触れることがなく、衛生的である。また、ペットボトルなど飲み口が絞られたボトル形状の商品では、購入者がより掴みやすい姿勢とすることができる。
【００１７】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００１８】
（実施の形態１）
図１は、本発明の実施の形態１における自動販売機の要部断面図である。図２および図３は、同実施の形態における自動販売機の商品シュート内の商品の動作を示す要部斜視図である。図４は同実施の形態の自動販売機の商品取出口内における商品の状態を示す要部断面図である。
【００１９】
図１において、自動販売機１０１の図示しない内側天井部に吊り下げられ左右方向に複数並設された商品収納室１０２と、商品収納室１０２下部に備えられた商品搬出装置１０３と、自動販売機１０１前面下部に設けられた商品取出口１０４と、商品収納室１０２の下方に傾斜して備えられ、商品搬出装置１０３より搬出された商品１０５を商品取出口１０４へ案内する商品シュート１０６と、を備えている。また、商品シュート１０６前端と商品取出口１０４との間には断熱壁１０７が設けられ、断熱壁１０７には商品シュート１０６により案内された商品１０５を商品取出口１０４側へ通過させるための開口部１０７ａと回動自在に軸支されたフラップ１０８が設けられ、フラップ１０８は商品１０５の通過以外は開口部１０７ａを閉じるよう備えられている。
【００２０】
図２において、商品シュート１０６は、各商品収納室１０２に対して独立して形成しており、基準傾斜面１０６ａと基準傾斜面１０６ａ左右両端から外方に向かって傾斜する傾斜面１０６ｂ、１０６ｃを形成し、さらにこれら先端部については商品収納室１０２幅に合わせて垂直面１０６ｄ、１０６ｅを構成し商品収納室１０２下部に取り付けられている。また、商品収納室１０２下端と商品シュート１０６の間に制御部材１０９を設け、商品収納室１０２にストックされた商品１０５が商品搬出装置１０３の動作により搬出されると商品１０５は商品シュート１０６上に落下後、商品１０５の一端が制御部材１０９に接触しかつ商品シュート１０６の各傾斜面１０６ａ、１０６ｂ、１０６ｃ、１０６ｄ、１０６ｅとの関係により長手方向が商品取出口１０４の方向に向けて回転維持するように構成している。
【００２１】
ここで、制御部材１０９の配置場所は横向きに落下してくる商品１０５の開口部（たとえば、飲料商品などの飲み口）側に設け、商品１０５の開口部側と制御部材１０９とが接触するように構成されている。
【００２２】
また、商品シュート１０６の各傾斜面１０６ａ、１０６ｂ、１０６ｃ、１０６ｄには、米粒大程度の比較的高さの低いなだらかな凸部１１０を複数設けている。
【００２３】
また、図４において、商品取出口１０４内のスペースにおいて、商品シュート１０６から送出された商品１０５が開口部を上に向けた状態で直立するように、たとえば商品取出口１０４内部を形成する構造部材１１１やガイダー１１２などによって規制される構造となっている。
【００２４】
以上のように構成された自動販売機について、以下、その動作、作用を説明する。
【００２５】
まず、商品収納商品収納室１０２にストックされた商品１０５が商品搬出装置１０３の動作により搬出されると商品１０５は商品シュート１０６上に落下する。この時点で商品１０５は、横倒しかつ長手方向が横向き状態となっている。そのため、商品１０５の一端が制御部材に接触することとなり、この商品の一端は制御部材１０９に規制され商品取出口１０４の方向へ滑走することができない。
【００２６】
また、商品１０５の他端は商品シュート１０６の基準面１０６ａあるいは傾斜面１０６ｂに接触しており、他端は商品取出口１０４の方向へ滑走することができるため、商品１０５は長手方向が商品取出口１０４の方向に向く方向に回転する。また、商品シュート１０６は基準傾斜面１０６ａと基準傾斜面１０６ａ左右両端から外方に向かって傾斜する傾斜面１０６ｂ、１０６ｃを形成しているため、商品１０５を基準傾斜面１０６ａ上に集め、かつ長手方向が商品取出口１０４の方向に向く方向に規制および維持しながら、商品１０５を商品取出口方向へ滑走および案内する。
【００２７】
以上のように、本実施の形態では、商品シュート１０６は、各商品収納室１０２に対して独立して形成しており、基準傾斜面１０６ａと基準傾斜面１０６ａ左右両端から外方に向かって傾斜する傾斜面１０６ｂ、１０６ｃを形成し、さらにこれら先端部については商品収納室１０２幅に合わせて垂直面１０６ｄ，１０６ｅを構成し商品収納室１０２下部に取り付けられている。
【００２８】
また、商品収納室１０２下端と商品シュート１０６の間に制御部材１０９を設け、商品収納室１０２にストックされた商品１０５が商品搬出装置１０３の動作により搬出されると商品１０５は商品シュート１０６上に落下後、商品１０５の一端が制御部材１０９に接触しかつ商品シュート１０６の各傾斜面１０６ａ、１０６ｂ、１０６ｃ、１０６ｄ、１０６ｅとの関係により長手方向が商品取出口１０４の方向に向けて回転維持するように構成しているため、商品は商品シュート上で長手方向の向きに滑走することとなり、商品シュートとの摩擦抵抗により安定かつ（転動時と比べ）緩やかな速度で商品を商品取出口へ送出でき、商品落下送出時の商品への衝撃力を抑えることが出来き、商品が商品取出口へ送出される際に通過する断熱壁開口部面積を（商品の胴径寸法よりやや大きい程度にすればよく）大幅に小さくすることができる。
【００２９】
また、商品シュート１０６上を商品１０５が滑走する時において、商品シュート１０６の各傾斜面１０６ａ、１０６ｂ、１０６ｃ、１０６ｄには、米粒大程度の比較的高さの低いなだらかな凸部１１０を複数設けているため、商品シュート１０５が粉塵等により汚れた場合であっても、商品１０５は凸部上の粉塵等を凸部１１０外へ除去しながら凸部１１０上を滑走するため、粉塵等の介在による摩擦抵抗の変動を抑えることができ、安定した商品送出ができる。
【００３０】
また、商品シュート１０６から送出された商品１０５が開口部を上に向けた状態で直立するように、たとえば商品取出口１０４内部を形成する構造部材１１１やガイダー１１２などによって規制される構造となっているため、購入者は従来のように横倒しになった商品を商品取出口の底から取り出すような不便さが解消され、商品の上部を掴んで容易に商品取出口から取り出すことができ、また、ペットボトルなど飲み口が絞られたボトル形状の商品では、購入者がより掴みやすい姿勢とすることができる。
【産業上の利用可能性】
【００３１】
以上のように、本発明にかかる自動販売機は、商品落下送出時の商品への衝撃力を抑えて、搬出音の低減、商品の傷つき抑制、強炭酸の泡吹き等を抑制でき、かつ商品の取り出し性に優れるので、多種多様な自動販売機を始めとする商品搬出機器に適用できる。
【図面の簡単な説明】
【００３２】
【図１】本発明の実施の形態１における自動販売機の要部断面図
【図２】同実施の形態の自動販売機の要部斜視図
【図３】同実施の形態の自動販売機の要部斜視図
【図４】同実施の形態の自動販売機の要部断面図
【図５】従来の自動販売機の要部断面図
【図６】従来の自動販売機の要部斜視図
【符号の説明】
【００３３】
１０１  自動販売機
１０２  商品収納室
１０３  商品搬出装置
１０４  商品取出口
１０５  商品
１０６  商品シュート
１０９  制御部材
１１０  凸部
１１１  構造部材
【図１】
2007293755.tif 000003
【図２】
2007293755.tif 000004
【図３】
2007293755.tif 000005
【図４】
2007293755.tif 000006
【図５】
2007293755.tif 000007
【図６】
2007293755.tif 000008